(57)【要約】【課題】手書き入力時よりも後で手書き画像を見直して手本画像と比較することを可能とする。【解決手段】電子辞書1は、所定の手本画像を少なくとも１つ記憶する辞書データベース６０ａと、辞書データベース６０ａにより記憶された手本画像のうち、ユーザ操作により指定された手本画像を表示させるＣＰＵ２０と、手本画像が表示された状態で、ユーザから手書き入力を受けるタッチパネル１１０と、手書き入力された手書き画像を、表示された手本画像に対応付けて記憶する手書き画像データベース８２とを備える。ＣＰＵ２０は、ユーザ操作に基づいて、手書き画像データベース８２に記憶された何れかの手書き画像と、当該手書き画像に対応付けられた手本画像とを表示させる。【選択図】図７
2012243230.tif 000002
【特許請求の範囲】
【請求項１】
所定の手本画像を少なくとも１つ記憶する手本画像記憶手段と、
前記手本画像記憶手段により記憶された手本画像のうち、ユーザ操作により指定された手本画像を表示させる手本表示制御手段と、
前記手本表示制御手段により手本画像が表示された状態で、ユーザから手書き入力を受ける手書き入力手段と、
前記手書き入力手段により手書き入力された手書き画像を、前記手本表示制御手段により表示された手本画像に対応付けて記憶する手書き画像・手本記憶手段と、
ユーザ操作に基づいて、前記手書き画像・手本記憶手段により記憶された何れかの手書き画像と、当該手書き画像に対応付けられた手本画像とを表示させる手書き画像・手本表示制御手段と、
を備えることを特徴とする表示制御装置。
【請求項２】
請求項１記載の表示制御装置において、
各手本画像は、複数の手本部分を別々の領域に含んでおり、
前記手書き画像・手本記憶手段は、
前記手書き入力手段により手書き入力された手書き画像を、前記手本表示制御手段により表示された手本画像のうち、ユーザ操作により指定された手本部分に対応付けて記憶することを特徴とする表示制御装置。
【請求項３】
請求項２記載の表示制御装置において、
前記手書き画像・手本記憶手段は、
前記手本表示制御手段により表示された手本画像内の何れかの手本部分に重ねるように前記手書き入力手段によって手書き入力を受けた場合に、当該手書き画像を当該手本画像の当該手本部分に対応付けて記憶することを特徴とする表示制御装置。
【請求項４】
請求項３記載の表示制御装置において、
前記手本表示制御手段は、
前記手書き入力手段による入力画像の方が手本画像よりも濃くなるよう、手本画像を低濃度化して表示させることを特徴とする表示制御装置。
【請求項５】
請求項１〜４の何れか一項に記載の表示制御装置において、
前記手書き画像・手本記憶手段は、
前記手書き入力手段により１筆分ずつ手書き入力された各時点での手書き画像を、それぞれ同一の手本画像に対応付けて記憶し、
前記手書き画像・手本表示制御手段は、
前記手書き画像・手本記憶手段により同一の手本画像に対応付けられた各手書き画像を、筆順に従って表示させることを特徴とする表示制御装置。
【請求項６】
請求項１〜５の何れか一項に記載の表示制御装置において、
前記手本画像記憶手段は、
所定の文字について、所定の書体での手本画像を記憶していることを特徴とする表示制御装置。
【請求項７】
請求項６記載の表示制御装置において、
前記手本画像記憶手段は、
手本画像で示される各文字の画数を記憶し、
前記手書き画像・手本記憶手段は、
前記手書き入力手段により手書き入力された手書き画像を、当該手書き画像の画数に対応付けて記憶しており、
前記手書き画像・手本表示制御手段は、
前記手書き画像・手本記憶手段により記憶された何れかの手書き画像と、当該手書き画像に対応付けられた手本画像とを表示させるとともに、これらの手書き画像及び手本画像の画数が一致するか否かを表示させることを特徴とする表示制御装置。
【請求項８】
請求項６または７に記載の表示制御装置において、
各手本画像は、同一の文字について、書体の異なる複数の手本部分を別々の領域に含んでいることを特徴とする表示制御装置。
【請求項９】
請求項６〜８の何れか一項に記載の表示制御装置において、
文字列を表示させる文字列表示制御手段と、
前記文字列表示制御手段により表示された文字列のうち、何れかの文字についての指定操作をユーザから受ける文字指定手段とを備え、
前記手本表示制御手段は、
前記手本画像記憶手段により記憶された手本画像のうち、前記文字指定手段により指定された文字についての手本画像を表示させることを特徴とする表示制御装置。
【請求項１０】
コンピュータに、
所定の手本画像を少なくとも１つ記憶する手本画像記憶機能と、
前記手本画像記憶機能により記憶された手本画像のうち、ユーザ操作により指定された手本画像を表示させる手本表示制御機能と、
前記手本表示制御機能により手本画像が表示された状態で、ユーザから手書き入力を受ける手書き入力機能と、
前記手書き入力機能により手書き入力された手書き画像を、前記手本表示制御機能により表示された手本画像に対応付けて記憶する手書き画像・手本記憶機能と、
ユーザ操作に基づいて、前記手書き画像・手本記憶機能により記憶された何れかの手書き画像と、当該手書き画像に対応付けられた手本画像とを表示させる手書き画像・手本表示制御機能と、
を実現させることを特徴とするプログラム。
【発明の詳細な説明】
【技術分野】
【０００１】
本発明は、表示制御装置及びプログラムに関する。
【背景技術】
【０００２】
従来から、表示制御装置では、手書き入力が可能となっている。
このような表示制御装置においては、近年、手本の画像と、ユーザにより手書き入力された画像とを比較して、手書き画像の良し悪しを評価する技術が提案されている（例えば特許文献１，２参照）。
【先行技術文献】
【特許文献】
【０００３】
【特許文献１】特開２００６−１３３８８６号公報
【特許文献２】特開２００６−１３３８８８号公報
【発明の概要】
【発明が解決しようとする課題】
【０００４】
しかしながら、特許文献１，２の技術では、手書き入力を行った時点で手書き画像の評価を行うことはできるものの、後で手書き画像を見直すことはできない。
【０００５】
本発明の課題は、手書き入力時よりも後で手書き画像を見直して手本画像と比較することのできる表示制御装置及びプログラムを提供することである。
【課題を解決するための手段】
【０００６】
請求項１記載の発明は、表示制御装置において、
所定の手本画像を少なくとも１つ記憶する手本画像記憶手段と、
前記手本画像記憶手段により記憶された手本画像のうち、ユーザ操作により指定された手本画像を表示させる手本表示制御手段と、
前記手本表示制御手段により手本画像が表示された状態で、ユーザから手書き入力を受ける手書き入力手段と、
前記手書き入力手段により手書き入力された手書き画像を、前記手本表示制御手段により表示された手本画像に対応付けて記憶する手書き画像・手本記憶手段と、
ユーザ操作に基づいて、前記手書き画像・手本記憶手段により記憶された何れかの手書き画像と、当該手書き画像に対応付けられた手本画像とを表示させる手書き画像・手本表示制御手段と、
を備えることを特徴とする。
【発明の効果】
【０００７】
本発明によれば、手書き入力時よりも後で手書き画像を見直して手本画像と比較することができる。
【図面の簡単な説明】
【０００８】
【図１】電子辞書の概観を示す平面図である。
【図２】電子辞書の内部構成を示すブロック図である。
【図３】カード登録処理を示すフローチャートである。
【図４】カード呼び出し処理を示すフローチャートである。
【図５】表示部の表示内容を示す図である。
【図６】表示部の表示内容を示す図である。
【図７】表示部の表示内容を示す図である。
【図８】表示部の表示内容を示す図である。
【発明を実施するための形態】
【０００９】
以下、図面を参照して、本発明に係る表示制御装置を電子辞書に適用した場合の実施形態について詳細に説明する。
【００１０】
［外観構成］
図１は、電子辞書１の平面図である。
この図に示すように、電子辞書１は、メインディスプレイ１０、サブディスプレイ１１及びキー群２を備えている。
【００１１】
メインディスプレイ１０及びサブディスプレイ１１は、ユーザによるキー群２の操作に応じた文字や符号等、各種データを表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１２】
キー群２は、ユーザから電子辞書１を操作するための操作を受ける各種キーを有している。具体的には、キー群２は、訳／決定キー２ｂと、文字キー２ｃと、カーソルキー２ｅ等とを有している。
【００１３】
訳／決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。
【００１４】
カーソルキー２ｅは、画面内の反転表示位置、つまりカーソル位置の移動等に使用されるキーであり、本実施の形態においては上下左右の方向を指定可能となっている。
【００１５】
［内部構成］
続いて、電子辞書１の内部構造について説明する。図２は、電子辞書１の内部構成を示すブロック図である。
【００１６】
この図に示すように、電子辞書１は、表示部４０、入力部３０、記録媒体読取部５０、ＣＰＵ（Central Processing Unit）２０、フラッシュＲＯＭ（Read Only Memory）８０、ＲＡＭ（Random Access Memory）９０を備え、各部はバスで相互にデータ通信可能に接続されて構成されている。
【００１７】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００１８】
入力部３０は、上述のキー群２やタッチパネル１１０を備えており、押下されたキーやタッチパネル１１０の位置に対応する信号をＣＰＵ２０に出力するようになっている。
【００１９】
記録媒体読取部５０は、着脱自在に装着されるＳＤカードやＵＳＢメモリ、ＣＤ等の記録媒体５０Ａから情報を読み取るものである。
【００２０】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じてフラッシュＲＯＭ８０に格納された各種プログラムを読み出し、当該プログラムに従って処理を実行する。そして、ＣＰＵ２０は、処理結果をＲＡＭ９０に保存するとともに、当該処理結果を表示部４０に適宜出力させる。
【００２１】
フラッシュＲＯＭ８０は、電子辞書１の各種機能を実現するためのプログラムやデータを記憶するメモリである。本実施の形態においては、フラッシュＲＯＭ８０は、本発明に係る情報表示プログラム８１と、テキストコンテンツ群７と、辞書コンテンツ群６と、手書き画像データベース８２等とを記憶している。
【００２２】
情報表示プログラム８１は、後述のカード登録処理（図３参照）及びカード呼び出し処理（図４参照）をＣＰＵ２０に実行させるためのプログラムである。
【００２３】
テキストコンテンツ群７は、文字列からなるテキストコンテンツ７１を少なくとも１つ有している。
【００２４】
辞書コンテンツ群６は、複数の辞書データベース６０を有している。各辞書データベース６０には、見出し語と、この見出し語の説明情報とを対応付けた１つ以上の辞書情報が格納されている。
【００２５】
ここで、本実施の形態においては、このような辞書データベース６０の１つとして、「筆順事典」の辞書データベース６０ａが用いられている。この「筆順事典」の辞書データベース６０ａでは、文字の読みが見出し語として用いられ、当該文字についての手本画像と、当該手本画像で示される文字の総画数と、が説明情報として用いられている。更に、この辞書データベース６０ａの手本画像では、例えば後述の図５（ｃ）に示すように、同一の文字について複数種類の各書体による手本部分が別々の領域に含まれている。
【００２６】
手書き画像データベース８２は、後述のカード登録処理（図３参照）においてタッチパネル１１０により手書き入力される手書き画像と、「筆順事典」の辞書データベース６０ａに記憶された該当の手本画像とを対応付け、「書き方カード」（復習用カード）の裏面、表面として記憶するようになっている。より詳細には、この手書き画像データベース８２には、タッチパネル１１０により１筆分ずつ手書き入力された各時点での手書き画像が、それぞれ同一の手本画像における同一書体の手本部分に対応付けられて記憶されるようになっている。また、この手書き画像データベース８２では、手書き画像の画数と、この手本画像の画数とが「書き方カード」の両面に対応付けて記憶されるようになっている。
【００２７】
ＲＡＭ９０は、ＣＰＵ２０が実行する各種プログラムや、これらプログラムの実行に係るデータ等を一時的に保持するメモリ領域を備えている。
【００２８】
［動作］
続いて、電子辞書１の動作について、図３，図４を参照しつつ説明する。
【００２９】
（カード登録処理）
図３は、ＣＰＵ２０が情報表示プログラム８１を読み出して実行するカード登録処理の流れを示すフローチャートである。
【００３０】
この図に示すように、カード登録処理においては、まずＣＰＵ２０は、メインディスプレイ１０の端部に「書き方」アイコンＡ１（図５（ａ）参照）を表示させた後、この「書き方」アイコンＡ１に対してタッチ操作が行われるか否かを判定し（ステップＳ１）、タッチ操作が行われないと判定した場合（ステップＳ１；Ｎｏ）には他の処理へ移行する。
【００３１】
また、ステップＳ１において「書き方」アイコンＡ１に対してタッチ操作が行われたと判定した場合（ステップＳ１；Ｙｅｓ）には、ＣＰＵ２０は、ユーザ操作に基づいて文字の指定操作を受け付ける（ステップＳ２）。なお、このステップＳ２においてユーザは、「筆順事典」の辞書データベース６０ａで見出し語検索を行うことで文字の指定を行っても良いし、メインディスプレイ１０にテキストコンテンツ７１や「筆順事典」以外の辞書データベース６０のテキストが表示された状態から、テキスト内の文字にタッチ操作を行うことで文字の指定を行っても良い。
【００３２】
次に、ＣＰＵ２０は、指定された文字（以下、指定文字とする）についての手本画像が「筆順事典」の辞書データベース６０ａに存在するか否かを判定し（ステップＳ３）、存在しないと判定した場合（ステップＳ３；Ｎｏ）には、その旨のエラーメッセージをメインディスプレイ１０に表示させた後（ステップＳ４）、上述のステップＳ１に移行する。
【００３３】
また、ステップＳ３において指定文字についての手本画像が「筆順事典」の辞書データベース６０ａに存在すると判定した場合（ステップＳ３；Ｙｅｓ）には、ＣＰＵ２０は、その手本画像を辞書データベース６０ａから読み出してメインディスプレイ１０に表示させ（ステップＳ６）、タッチパネル１１０を介して指定文字についての手書き入力を受ける（ステップＳ７）。より詳細には、これらのステップＳ６〜Ｓ７においてＣＰＵ２０は、メインディスプレイ１０における手書き画像の入力エリアに手本画像を表示させ、表示された手本画像に重ねるように、当該手本画像の文字（指定文字）についての手書き入力を受けるようになっている。また、このときＣＰＵ２０は、手書き入力画像の方が手本画像よりも濃くなるよう、手本画像を低濃度化して表示させるようになっている。
【００３４】
次に、ＣＰＵ２０は、手書き入力内容についての情報として、１筆分ずつ入力された各時点での手書き画像と、手書き入力の位置と、手書き入力された筆数（画数）とを検出し（ステップＳ８）、手本画像から、手書き入力の位置を含んで表示されている文字部分の領域、つまり手書き入力の位置によって指定される手本部分を抽出する（ステップＳ９）。より具体的には、このステップＳ９においてＣＰＵ２０は、１つの手本画像に含まれる各書体の手本部分のうち、手書き入力の位置に重ねて表示されている手本部分の領域を、当該手本画像から抽出する。
【００３５】
次に、ＣＰＵ２０は、ステップＳ９で抽出した領域の手本画像（以下、手本抽出画像とする）と、手書き画像とを並べて表示させ（ステップＳ１１）、手本抽出画像の画数と、手書き画像の画数とが一致するか否かを判定し（ステップＳ１２）、一致すると判定した場合（ステップＳ１２；Ｙｅｓ）には後述のステップＳ１４に移行する。
【００３６】
また、ステップＳ１２において手本抽出画像の画数と、手書き画像の画数とが一致しないと判定した場合（ステップＳ１２；Ｎｏ）には、ＣＰＵ２０は、手書き画像の画数が誤っている旨をメインディスプレイ１０に表示させる（ステップＳ１３）。
【００３７】
次に、ＣＰＵ２０は、決定操作が行われるか否かを判定し（ステップＳ１４）、行われないと判定した場合（ステップＳ１４；Ｎｏ）には上述のステップＳ７に移行する。
【００３８】
そして、ステップＳ１４において決定操作が行われたと判定した場合（ステップＳ１４；Ｙｅｓ）には、ＣＰＵ２０は、手本抽出画像と、筆順ごとの手書き画像と、手本抽出画像の画数とを対応付けて手書き画像データベース８２に記憶させ（ステップＳ１５）、書き方カード登録処理を終了する。より詳細には、このステップＳ１５においてＣＰＵ２０は、手本抽出画像を「書き方カード」の表面、各手書き画像を「書き方カード」の裏面として手書き画像データベース８２に記憶させるようになっている。
【００３９】
（カード呼び出し処理）
図４は、ＣＰＵ２０が情報表示プログラム８１を読み出して実行するカード呼び出し処理の流れを示すフローチャートである。
【００４０】
この図に示すように、カード呼び出し処理においては、まずＣＰＵ２０は、ユーザにより「書き方カード」の呼び出し操作が行われるか否かを判定し（ステップＴ１）、行われないと判定した場合（ステップＴ１；Ｎｏ）には他の処理へ移行する。
【００４１】
また、ステップＴ１において呼び出し操作が行われたと判定した場合（ステップＴ１；Ｙｅｓ）には、ＣＰＵ２０は、手書き画像データベース８２に記憶された複数の「書き方カード」（手本抽出画像と手書き画像とを対応付けたカード）のうち、ユーザ操作に基づいて選択される「書き方カード」の表面（手本抽出画像の面）をメインディスプレイ１０に表示させる（ステップＴ２）。また、このときＣＰＵ２０は、メインディスプレイ１０の端部に「練習」アイコンＡ３と、「書き順」アイコンＡ４とを表示させる（図７（ｃ）参照）。
【００４２】
このステップＴ２においてＣＰＵ２０は、所定のユーザ操作が行われた場合に、「書き方カード」の裏面（手書き画像の面）をメインディスプレイ１０に表示させ（ステップＴ３）、この状態から更に所定のユーザ操作が行われた場合に、ステップＴ２に移行するようになっている。なお、このステップＴ３においてＣＰＵ２０は、手書き画像データベース８２内の情報に基づいて、手書き画像の画数と、手本画像の画数とが一致するか否かを判定し、判定結果をメインディスプレイ１０に表示させることが好ましい。これにより、画数が誤っていた場合には、そのことを認識して復習を行うことができる。
【００４３】
これらステップＴ２，Ｔ３の次に、ＣＰＵ２０は、「練習」アイコンＡ３に対してタッチ操作が行われるか否かを判定する（ステップＴ４）。
【００４４】
このステップＴ４において「練習」アイコンＡ３に対してタッチ操作が行われたと判定した場合（ステップＴ４；Ｙｅｓ）には、ＣＰＵ２０は、「書き方カード」で表示された文字を指定文字とした後、この指定文字についての手本画像を辞書データベース６０ａから読み出してメインディスプレイ１０に表示させ（ステップＴ６）、タッチパネル１１０を介して指定文字についての手書き入力を受ける（ステップＴ７）。より詳細には、これらのステップＴ６〜Ｔ７においてＣＰＵ２０は、メインディスプレイ１０における手書き画像の入力エリアに手本画像を表示させ、表示された手本画像に重ねるように、当該手本画像の文字（指定文字）についての手書き入力を受けるようになっている。また、このときＣＰＵ２０は、手書き入力画像の方が手本画像よりも濃くなるよう、手本画像を低濃度化して表示させるようになっている。
【００４５】
次に、ＣＰＵ２０は、手書き入力の位置を検出し（ステップＴ８）、手本画像から、手書き入力の位置を含んで表示されている文字部分の領域、つまり手書き画像に対応する手本部分を抽出する（ステップＴ９）。より具体的には、このステップＴ９においてＣＰＵ２０は、１つの手本画像に含まれる各書体の手本部分のうち、手書き入力の位置に重ねて表示されている手本部分の領域を、当該手本画像から抽出する。
【００４６】
次に、ＣＰＵ２０は、ステップＴ９で抽出した手本抽出画像と、手書き画像とを並べて表示させた後（ステップＴ１１）、決定操作が行われるか否かを判定し（ステップＴ１４）、行われないと判定した場合（ステップＴ１４；Ｎｏ）には上述のステップＴ７に移行する。
【００４７】
また、ステップＴ１４において決定操作が行われたと判定した場合（ステップＴ１４；Ｙｅｓ）には、ＣＰＵ２０は、手本抽出画像と、筆順ごとの手書き画像と、手本抽出画像の画数とを対応付けて手書き画像データベース８２に上書き記憶させ（ステップＴ１５）、書き方カード呼び出し処理を終了する。より詳細には、このステップＴ１５においてＣＰＵ２０は、手本抽出画像を「書き方カード」の表面、各手書き画像を「書き方カード」の裏面として手書き画像データベース８２に記憶させるようになっている。
【００４８】
また、上述のステップＴ４において「練習」アイコンＡ３に対してタッチ操作が行われないと判定した場合（ステップＴ４；Ｎｏ）には、ＣＰＵ２０は、「書き順」アイコンＡ４に対してタッチ操作が行われるか否かを判定し（ステップＴ２１）、行われないと判定した場合（ステップＴ２１；Ｎｏ）には他の処理へ移行する。
【００４９】
また、ステップＴ２１において「書き順」アイコンＡ４に対してタッチ操作が行われたと判定した場合（ステップＴ２１；Ｙｅｓ）には、ＣＰＵ２０は、同一の手本抽出画像に対応付けられた各筆数（画数）での手書き画像を、筆順に従ってメインディスプレイ１０に順次表示させた後（ステップＴ２２）、書き方カード呼び出し処理を終了する。
【００５０】
（動作例）
続いて、図５〜図８を参照しつつ、上記のカード登録処理及びカード呼び出し処理を具体的に説明する。
【００５１】
まず、図５（ａ）に示すように、「国語辞典」の辞書データベース６０において見出し語「凱旋」の説明情報テキストが表示された状態から、ユーザが「書き方」アイコンＡ１に対してタッチ操作を行う（ステップＳ１；Ｙｅｓ）。
【００５２】
次に、図５（ｂ）に示すように、ユーザが文字「凱」について指定操作を行うと（ステップＳ２）、指定文字「凱」についての手本画像が「筆順事典」の辞書データベース６０ａに存在すると判定され（ステップＳ３；Ｙｅｓ）、図５（ｃ）に示すように、その手本画像が辞書データベース６０ａから読み出されてメインディスプレイ１０に表示される（ステップＳ６）。このとき、手書き入力画像の方が手本画像よりも濃くなるよう、手本画像が低濃度化して表示される。
【００５３】
次に、図７（ａ）に示すように、表示された手本画像のうち、書体「楷書」の手本部分に重ねるように、ユーザがタッチパネル１１０を介して指定文字「凱」についての手書き入力を行う（ステップＳ７）。
【００５４】
次に、手書き入力内容についての情報として、１筆分ずつ入力された各時点での手書き画像と、手書き入力の位置と、手書き入力された筆数（画数）とが検出され（ステップＳ８）、手本画像から書体「楷書」の手本部分（手本抽出画像）が抽出される（ステップＳ９）。
【００５５】
次に、図６（ｂ）に示すように、手本抽出画像と、手書き画像とが並べて表示される（ステップＳ１１）。なお、本動作例では、このとき手本抽出画像は「書き方カード」の表面として、手書き画像は「書き方カード」の裏面として、それぞれ表示されるようになっている。また、手本抽出画像，手書き画像の各筆跡部分には筆順番号が付記されている。
【００５６】
そして、ユーザが決定操作を行うと（ステップＳ１４；Ｙｅｓ）、手本抽出画像と、筆順ごとの手書き画像と、手本抽出画像の画数とが対応付けられて手書き画像データベース８２に記憶される（ステップＳ１５）。なお、本動作例においては、図７（ｃ）に示すように、このときメインディスプレイ１０には「書き方カード１」〜「書き方カード６」が選択可能に表示され、ユーザが「書き方カード１」を選択すると、手本抽出画像と、筆順ごとの手書き画像等とが「書き方カード１」の内容として記憶されるようになっている。
【００５７】
次に、図７（ａ），（ｂ）に示すように、ユーザが「書き方カード」の呼び出し操作を行うと（ステップＴ１；Ｙｅｓ）、「書き方カード１」〜「書き方カード６」が選択可能に表示され、ユーザが「書き方カード１」を選択すると、図７（ｃ）に示すように、当該「書き方カード１」の表面（手本抽出画像の面）がメインディスプレイ１０に表示される（ステップＴ２）。また、このときメインディスプレイ１０の端部に「練習」アイコンＡ３と、「書き順」アイコンＡ４とが表示される。
【００５８】
次に、ユーザが所定の操作を行うと、図７（ｄ）に示すように、「書き方カード」の裏面（手書き画像の面）がメインディスプレイ１０に表示される（ステップＴ３）。
【００５９】
次に、「練習」アイコンＡ３に対してユーザがタッチ操作を行うと（ステップＴ４；Ｙｅｓ）、「書き方カード」で表示された文字「凱」が指定文字とされた後、図８（ａ）に示すように、この指定文字「凱」についての手本画像が辞書データベース６０ａから読み出されてメインディスプレイ１０に表示される（ステップＴ６）。このとき、手書き入力画像の方が手本画像よりも濃くなるよう、手本画像が低濃度化して表示される。
【００６０】
次に、図８（ｂ）に示すように、表示された手本画像のうち、書体「楷書」の手本部分に重ねるように、ユーザがタッチパネル１１０を介して指定文字「凱」についての手書き入力を行う（ステップＴ７）。
【００６１】
次に、手書き入力の位置が検出され（ステップＴ８）、手本画像から、書体「楷書」の手本部分（手本抽出画像）が抽出される（ステップＴ９）。
【００６２】
次に、図８（ｃ）に示すように、手本抽出画像と、手書き画像とが並べて表示される（ステップＴ１１）。なお、本動作例では、このとき手本抽出画像は「書き方カード」の表面として、手書き画像は「書き方カード」の裏面として、それぞれ表示されるようになっている。また、手本抽出画像，手書き画像の各筆跡部分には筆順番号が付記されている。
【００６３】
また、図７（ｄ）に示した状態から、ユーザが「書き順」アイコンＡ４に対してタッチ操作を行うと（ステップＴ２１；Ｙｅｓ）、図８（ｄ）に示すように、指定文字「凱」についての同一の手本抽出画像に対応付けられた各筆数（画数）での手書き画像が、筆順に従ってメインディスプレイ１０に順次表示される（ステップＴ２２）。なお、この図では、指定文字「凱」について６画目が手書き入力された時点での手書き画像が表示されている。
【００６４】
以上の電子辞書１によれば、図３のステップＳ２〜Ｓ１５や、図４のステップＴ１〜Ｔ３、図５〜図７等に示したように、指定された手本画像に手書き画像が対応付けて手書き画像データベース８２に記憶され、ユーザ操作に基づいて、手書き画像データベース８２に記憶された何れかの手書き画像と、当該手書き画像に対応付けられた手本画像とが表示されるので、手書き入力時よりも後で手書き画像を見直して手本画像と比較することができる。よって、手書き画像の復習を容易に行うことができる。
【００６５】
また、図３のステップＳ１５や図６等に示したように、各手本画像は複数の手本部分を別々の領域に含んでおり、手書き画像データベース８２には、ユーザ操作により指定された手本画像のうち、ユーザ操作により指定された手本部分に対応付けて手書き画像が記憶されるので、手本画像中に複数の手本部分が含まれる場合に、対比したい手本部分のみを抽出して表示させることができる。
【００６６】
また、図３のステップＳ７や図６（ａ）等に示したように、手本画像内の何れかの手本部分に重ねるように手書き入力が行われた場合に、当該手書き画像が当該手本画像の当該手本部分に対応付けて記憶されるので、容易に手本部分の指定を行うことができる。また、手本画像に重ねるように、当該手本画像の文字についての手書き入力が行われるので、手本画像に対して忠実に手書き入力を行うことができる。
【００６７】
また、図３のステップＳ６〜Ｓ７や図６（ａ）等に示したように、入力画像の方が手本画像よりも濃くなるよう、手本画像が低濃度化して表示されるので、手書き画像を手本画像から区別しながら、手書き入力を行うことができる。
【００６８】
また、図５（ｃ）等に示したように、各手本画像は同一の文字について、書体の異なる複数の手本部分を別々の領域に含んでいるので、様々な字体を手本として手書き入力を行い、手書き画像の復習を行うことができる。
【００６９】
また、図３のステップＳ１５や図４のステップＳ２２、図８（ｄ）等に示したように、１筆分ずつ手書き入力された各時点での手書き画像がそれぞれ同一の手本画像に対応付けられて手書き画像データベース８２に記憶され、記憶された手書き画像のうち、同一の手本画像に対応付けられた各手書き画像が筆順に従って表示されるので、自分の書いた筆順を分かり易く表示させ、復習に用いることができる。
【００７０】
また、図５等に示したように、所定の文字について、所定の書体での手本画像が記憶されるので、辞書データベース６０における各文字の画像を手本画像として用いることができる。
【００７１】
また、図３のステップＳ２や図５等に示したように、表示された文字列のうち、何れかの文字についての指定操作が行われると、「筆順事典」の辞書データベース６０ａに記憶された手本画像のうち、指定された文字についての手本画像が表示されて、当該手本画像の文字についての手書き入力が行われるので、テキスト中の所望の文字について、簡単な操作で手書きの練習を開始することができる。
【００７２】
なお、本発明を適用可能な実施形態は、上述した実施形態に限定されることなく、本発明の趣旨を逸脱しない範囲で適宜変更可能である。
【００７３】
例えば、本発明に係る表示制御装置を電子辞書１として説明したが、本発明が適用可能なものは、このような製品に限定されず、携帯電話、パソコン、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る情報表示プログラム８１は、電子辞書１に対して着脱可能な記録媒体５０Ａに記憶されることとしてもよい。
【００７４】
また、文字についての手本画像を用いて手書き入力することとして説明したが、記号など、他の手書き対象の手本画像を用いることとしても良い。
【００７５】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
所定の手本画像を少なくとも１つ記憶する手本画像記憶手段と、
前記手本画像記憶手段により記憶された手本画像のうち、ユーザ操作により指定された手本画像を表示させる手本表示制御手段と、
前記手本表示制御手段により手本画像が表示された状態で、ユーザから手書き入力を受ける手書き入力手段と、
前記手書き入力手段により手書き入力された手書き画像を、前記手本表示制御手段により表示された手本画像に対応付けて記憶する手書き画像・手本記憶手段と、
ユーザ操作に基づいて、前記手書き画像・手本記憶手段により記憶された何れかの手書き画像と、当該手書き画像に対応付けられた手本画像とを表示させる手書き画像・手本表示制御手段と、
を備えることを特徴とする表示制御装置。
＜請求項２＞
請求項１記載の表示制御装置において、
各手本画像は、複数の手本部分を別々の領域に含んでおり、
前記手書き画像・手本記憶手段は、
前記手書き入力手段により手書き入力された手書き画像を、前記手本表示制御手段により表示された手本画像のうち、ユーザ操作により指定された手本部分に対応付けて記憶することを特徴とする表示制御装置。
＜請求項３＞
請求項２記載の表示制御装置において、
前記手書き画像・手本記憶手段は、
前記手本表示制御手段により表示された手本画像内の何れかの手本部分に重ねるように前記手書き入力手段によって手書き入力を受けた場合に、当該手書き画像を当該手本画像の当該手本部分に対応付けて記憶することを特徴とする表示制御装置。
＜請求項４＞
請求項３記載の表示制御装置において、
前記手本表示制御手段は、
前記手書き入力手段による入力画像の方が手本画像よりも濃くなるよう、手本画像を低濃度化して表示させることを特徴とする表示制御装置。
＜請求項５＞
請求項１〜４の何れか一項に記載の表示制御装置において、
前記手書き画像・手本記憶手段は、
前記手書き入力手段により１筆分ずつ手書き入力された各時点での手書き画像を、それぞれ同一の手本画像に対応付けて記憶し、
前記手書き画像・手本表示制御手段は、
前記手書き画像・手本記憶手段により同一の手本画像に対応付けられた各手書き画像を、筆順に従って表示させることを特徴とする表示制御装置。
＜請求項６＞
請求項１〜５の何れか一項に記載の表示制御装置において、
前記手本画像記憶手段は、
所定の文字について、所定の書体での手本画像を記憶していることを特徴とする表示制御装置。
＜請求項７＞
請求項６記載の表示制御装置において、
前記手本画像記憶手段は、
手本画像で示される各文字の画数を記憶し、
前記手書き画像・手本記憶手段は、
前記手書き入力手段により手書き入力された手書き画像を、当該手書き画像の画数に対応付けて記憶しており、
前記手書き画像・手本表示制御手段は、
前記手書き画像・手本記憶手段により記憶された何れかの手書き画像と、当該手書き画像に対応付けられた手本画像とを表示させるとともに、これらの手書き画像及び手本画像の画数が一致するか否かを表示させることを特徴とする表示制御装置。
＜請求項８＞
請求項６または７に記載の表示制御装置において、
各手本画像は、同一の文字について、書体の異なる複数の手本部分を別々の領域に含んでいることを特徴とする表示制御装置。
＜請求項９＞
請求項６〜８の何れか一項に記載の表示制御装置において、
文字列を表示させる文字列表示制御手段と、
前記文字列表示制御手段により表示された文字列のうち、何れかの文字についての指定操作をユーザから受ける文字指定手段とを備え、
前記手本表示制御手段は、
前記手本画像記憶手段により記憶された手本画像のうち、前記文字指定手段により指定された文字についての手本画像を表示させることを特徴とする表示制御装置。
＜請求項１０＞
コンピュータに、
所定の手本画像を少なくとも１つ記憶する手本画像記憶機能と、
前記手本画像記憶機能により記憶された手本画像のうち、ユーザ操作により指定された手本画像を表示させる手本表示制御機能と、
前記手本表示制御機能により手本画像が表示された状態で、ユーザから手書き入力を受ける手書き入力機能と、
前記手書き入力機能により手書き入力された手書き画像を、前記手本表示制御機能により表示された手本画像に対応付けて記憶する手書き画像・手本記憶機能と、
ユーザ操作に基づいて、前記手書き画像・手本記憶機能により記憶された何れかの手書き画像と、当該手書き画像に対応付けられた手本画像とを表示させる手書き画像・手本表示制御機能と、
を実現させることを特徴とするプログラム。
【符号の説明】
【００７６】
１      電子辞書
２０    ＣＰＵ
３０    入力部
４０    表示部
８１    情報表示プログラム
【図１】
2012243230.tif 000003
【図２】
2012243230.tif 000004
【図３】
2012243230.tif 000005
【図４】
2012243230.tif 000006
【図５】
2012243230.tif 000007
【図６】
2012243230.tif 000008
【図７】
2012243230.tif 000009
【図８】
2012243230.tif 000010